【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
第1のワイヤレス通信デバイスのトランシーバと、
前記トランシーバに結合されたアンテナと、
メモリと、
前記メモリに結合され、前記トランシーバを制御するように構成された少なくとも1つのプロセッサと
を備え、前記少なくとも1つのプロセッサが、
通信システムの状態に基づいて、位相追跡基準信号(PT-RS)を送信するためのリソースに対する勧告を選択し、
前記トランシーバに、
前記リソースに対する前記選択された勧告の指示を第2のワイヤレス通信デバイスに送信すること、
前記送信された指示に基づいて前記PT-RSに関連付けられた肯定応答情報を受信すること
を行わせる
ようにさらに構成される、装置。
【請求項２】
前記選択が、前記第2のワイヤレス通信デバイスから勧告に対する要求を受信したことに基づいて行われ、または、
前記肯定応答情報を送信することが、受信される要求に基づく、請求項1に記載の装置。
【請求項３】
前記肯定応答情報が、前記第2のワイヤレス通信デバイスが前記勧告に従うことを示すために、前記第2のワイヤレス通信デバイスから受信される肯定応答(ACK)フィードバックを含み、
前記少なくとも1つのプロセッサがさらに、前記トランシーバに、前記PT-RSを受信することを行わせるように構成される、請求項1に記載の装置。
【請求項４】
前記少なくとも1つのプロセッサがさらに、複数の勧告を送信するように構成される、請求項1に記載の装置。
【請求項５】
前記複数の勧告が優先順序で送信され、前記優先順序が前記勧告に対する好ましさの順序である、請求項4に記載の装置。
【請求項６】
前記肯定応答情報が、前記第2のワイヤレス通信デバイスが前記勧告に従わないことを示すために、前記第2のワイヤレス通信デバイスから受信される否定ACK(NACK)フィードバックを含む、請求項1に記載の装置。
【請求項７】
前記少なくとも1つのプロセッサがさらに、PT-RS送信のためのリソースを示す、前記第2のワイヤレス通信デバイスからの送信を受信するように構成される、請求項1に記載の装置。
【請求項８】
前記送信が、複数の勧告のうちのいずれの1つに従うかを示す、請求項4に記載の装置。
【請求項９】
前記状態が、予定される帯域幅、変調およびコーディング方式(MCS)、チャネル周波数応答、サブキャリアごとの信号対雑音比(SNR)、干渉、位相雑音の性質、ポートマッピングのうちの少なくとも1つを備える、請求項1に記載の装置。
【請求項１０】
前記状態が前記装置において知られている、請求項9に記載の装置。
【請求項１１】
前記状態が前記第2のワイヤレス通信デバイスから前記装置において受信される、請求項9に記載の装置。
【請求項１２】
前記状態が、前記第2のワイヤレス通信デバイスから送信される基準信号に基づく、請求項9に記載の装置。
【請求項１３】
前記肯定応答情報が、予定される帯域幅、変調およびコーディング方式(MCS)、チャネル周波数応答、サブキャリアごとの信号対雑音比(SNR)、干渉、位相雑音の性質、ポートマッピングのうちの少なくとも1つを備える、請求項1に記載の装置。
【請求項１４】
ワイヤレス通信のための装置であって、
第1のワイヤレス通信デバイスのトランシーバと、
前記トランシーバに結合されたアンテナと、
メモリと、
前記メモリに結合され、前記トランシーバを制御するように構成された少なくとも1つのプロセッサと
を備え、前記少なくとも1つのプロセッサが、
第2のワイヤレス通信デバイスからの選択された時間-周波数リソースの勧告の指示を、前記トランシーバから受信し、
前記選択された時間-周波数リソースの前記受信された勧告の指示に基づいて、時間-周波数リソースを決定し、
前記トランシーバに、前記決定された時間-周波数リソースに基づいて、位相追跡基準信号(PT-RS)に関連付けられた肯定応答情報を送信させる
ようにさらに構成される、装置。
【請求項１５】
前記決定が、チャネル状態にさらに基づいて前記装置によって行われる、請求項14に記載の装置。
【請求項１６】
前記チャネル状態が、予定される帯域幅、変調およびコーディング方式(MCS)、チャネル周波数応答、信号対雑音比(SNR)、干渉、PN性質、ポートマッピングのうちの少なくとも1つを備える、請求項15に記載の装置。
【請求項１７】
前記少なくとも1つのプロセッサがさらに、複数の勧告を受信するように構成される、請求項14に記載の装置。
【請求項１８】
前記複数の勧告が優先順序で受信され、前記優先順序が前記勧告に対する好ましさの順序である、請求項17に記載の装置。
【請求項１９】
前記肯定応答情報が、前記第1のワイヤレス通信デバイスが前記勧告に従わないことを示す、前記第2のワイヤレス通信デバイスに送信される否定ACK(NACK)フィードバックを含む、請求項14に記載の装置。
【請求項２０】
前記肯定応答情報が、前記第1のワイヤレス通信デバイスが前記勧告に従うことを示すために、前記第2のワイヤレス通信デバイスに送信される肯定応答(ACK)フィードバックを含む、請求項14に記載の装置。
【請求項２１】
前記少なくとも1つのプロセッサがさらに、前記トランシーバに、前記PT-RSを送信させるように構成される、請求項17に記載の装置。
【請求項２２】
前記肯定応答情報が、予定される帯域幅、変調およびコーディング方式(MCS)、チャネル周波数応答、サブキャリアごとの信号対雑音比(SNR)、干渉、位相雑音の性質、ポートマッピングのうちの少なくとも1つを備える、請求項14に記載の装置。
【請求項２３】
前記少なくとも1つのプロセッサがさらに、前記トランシーバに、前記決定された時間-周波数リソースに基づいて、位相追跡のための基準信号を送信させるように構成される、請求項14に記載の装置。
【請求項２４】
前記少なくとも1つのプロセッサがさらに、前記トランシーバに、前記第2のワイヤレス通信デバイスへの勧告に対する要求を送信させるように構成される、請求項13に記載の装置。
【請求項２５】
第1のワイヤレス通信デバイスにおけるワイヤレス通信の方法であって、
通信システムの状態に基づいて、位相追跡基準信号(PT-RS)を送信するためのリソースに対する勧告を選択するステップと、
前記リソースに対する前記選択された勧告の指示を第2のワイヤレス通信デバイスに送信するステップと、
前記送信された指示に基づいて、前記第2のワイヤレス通信デバイスから位相追跡基準信号(PT-RS)に関連付けられた肯定応答情報を受信するステップと
を備える、方法。
【請求項２６】
複数の勧告を送信するステップをさらに備える、請求項25に記載の方法。
【請求項２７】
前記複数の勧告が優先順序で送信され、前記優先順序が前記勧告に対する好ましさの順序である、請求項26に記載の方法。
【請求項２８】
第1のワイヤレス通信デバイスにおけるワイヤレス通信の方法であって、
第2のワイヤレス通信デバイスから、選択された時間-周波数リソースの勧告の指示を受信するステップと、
前記選択された時間-周波数リソースの前記勧告の前記受信された指示に基づいて、時間-周波数リソースを決定するステップと、
前記決定された時間-周波数リソースに基づいて、位相追跡基準信号(PT-RS)に関連付けられた肯定応答情報を送信するステップと
を備える、方法。
【請求項２９】
複数の勧告を受信するステップ、または、前記決定された時間-周波数リソースに基づいて位相追跡のための基準信号を送信するステップのうちの少なくとも1つをさらに備える、請求項28に記載の方法。
【請求項３０】
前記複数の勧告が優先順序で受信され、前記優先順序が前記勧告に対する好ましさの順序である、請求項29に記載の方法。